(57)【要約】【課題】エリア固有のサービスに関するデータを各種通信端末に提供する。【解決手段】カメラ２は、通信可能な基地局１に対し、ＲＯＭ１１１あるいはメモリ１１２に記憶されているカメラ機種、メーカ名、ユーザＩＤ、パスワードなどの各種識別情報を送信する（Ａ２）。基地局１は、受信したカメラ機種、メーカ名に基づき、カメラ２に適したサービスプログラムがＤＢ１４に蓄積されているか否かを判断する（Ｂ２）。基地局１は、カメラ２に適合するサービスプログラムを提供することができる旨のメッセージをカメラ２に通知する（Ｂ３）。カメラ２は、基地局１からメッセージを受信すると（Ａ３）、操作部１１３の操作により、該サービスプログラムをダウンロードするか否かの指示を受け付ける。ダウンロードする指示を受け付けると（Ａ４）、カメラ２は該サービスプログラムを送信する要求を基地局１に送る（Ａ５）。【選択図】  図４
2007096521.tif 000002
【特許請求の範囲】
【請求項１】
通信端末と、特定のエリア内で前記通信端末と通信する基地局と、を備える通信システムにおいて、
前記基地局は前記特定のエリア内の通信端末に対し、前記特定のエリアに固有のプログラムを送信する送信部を有し、
前記通信端末は前記プログラムを受信する受信部と、前記受信部の受信したプログラムを記憶する記憶部と、前記記憶部の記憶したプログラムを実行する処理部とを有する通信システム。
【請求項２】
前記特定のエリアに固有のプログラムは、前記特定のエリアに固有のプリント注文サービスを提供するか又は前記通信端末のオープニング画面において前記特定のエリアに固有のサービスの内容を表示させる請求項１に記載の通信システム。
【請求項３】
前記処理部は前記特定のエリアに固有のプログラムの消去条件が成立したことに応じて前記記憶部に記憶された特定のエリアに固有のプログラムを消去する請求項１又は２に記載の通信システム。
【請求項４】
前記特定のエリアに固有のプログラムの消去条件は、前記通信端末が前記特定のエリアから離脱したことを含む請求項３に記載の通信システム。
【請求項５】
前記特定のエリアに固有のプログラムには前記特定のエリアに固有の識別情報が付加されており、
前記基地局は前記特定のエリア内の通信端末に対し、前記特定のエリアに固有の識別情報を通知する識別情報通知部を有し、
前記通信端末の受信部は前記特定のエリアに固有の識別情報を受信し、
前記通信端末の処理部は前記プログラムに付加された識別情報が前記受信部の受信した特定のエリアに固有の識別情報に一致しないプログラムを前記記憶部から消去する請求項４に記載の通信システム。
【請求項６】
前記通信端末は受信した識別情報を受信したプログラムに付加する識別情報付加部をさらに有する請求項５に記載の通信システム。
【請求項７】
前記特定のエリアに固有のプログラムの消去条件は、前記特定のエリアに固有のプログラムを消去する指示が入力されたことを含む請求項３に記載の通信システム。
【請求項８】
前記通信端末は、前記特定のエリアに固有のプログラムの実行条件を満たしているか否かを判断する判断部をさらに有し、
前記記憶部は前記判断部が前記実行条件を満たしていると判断した場合、前記受信部の受信した特定のエリアに固有のプログラムを記憶する請求項１〜７のいずれかに記載の通信システム。
【請求項９】
前記判断部は前記処理部が前記通信端末のオープニング画面において前記特定のエリアに固有のサービスの内容を表示させるプログラムを実行可能か否かによって前記実行条件を満たしているか否かを判断する請求項８に記載の通信システム。
【請求項１０】
通信端末と、特定のエリア内で前記通信端末と通信する基地局と、を備える通信システムにおいて、
前記基地局は前記特定のエリア内の通信端末に対し、前記通信端末のオープニング画面において前記特定のエリアに固有のサービス内容を表示するプログラムを送信する送信部を有し、
前記通信端末は前記プログラムを受信する受信部と、前記受信部の受信したプログラムを記憶する記憶部と、前記記憶部の記憶したプログラムを実行することにより前記オープニング画面において前記特定のエリアに固有のサービス内容を表示させる処理部とを有する通信システム。
【請求項１１】
通信端末と、特定のエリア内で前記通信端末と通信する基地局と、を備える通信システムにおいて、
前記通信端末は、前記通信端末に関する識別情報を前記基地局に通知する識別情報通知部を有し、
前記基地局は、前記通信端末から前記識別情報を受信する受信部と、前記受信部の受信した識別情報に基づいて前記通信端末が前記特定のエリアに固有のデータの利用条件を満たしているか否かを判断する判断部と、前記判断部が前記実行条件を満たしていると判断したことに応じて前記特定のエリアに固有のデータを前記通信端末に送信する送信部とを有する通信システム。
【請求項１２】
前記識別情報は前記通信端末の機種又は製造元を示す機種情報を含み、
前記判断部は前記機種情報が所定の機種情報に一致している場合、前記実行条件を満たしていると判断する請求項１１に記載の通信システム。
【請求項１３】
前記識別情報は前記通信端末又は前記通信端末のユーザに固有の固体情報を含み、
前記基地局は前記特定のエリアに固有のサービスの利用履歴を各固体情報と対応づけて記憶する履歴記憶部を有し、
前記判断部は前記通信端末から通知された固体情報に対応する利用履歴を前記履歴記憶部から抽出し、前記履歴記憶部から抽出した利用履歴に基づいて前記通信端末が前記特定のエリアに固有のデータの利用条件を満たしているか否かを判断する請求項１０に記載の通信システム。
【請求項１４】
前記履歴記憶部に記憶される利用履歴は、前記特定のエリアに固有のプリントサービスにおけるプリント注文枚数を含む請求項１３に記載の通信システム。
【発明の詳細な説明】
【技術分野】
【０００１】
本発明は、特定の通信エリア内に存在する通信端末に対し、そのエリアに固有のデータを提供するシステムに関する。
【背景技術】
【０００２】
従来、通信回線を介して必要なプログラムを所望の通信端末に取り込む技術が様々開発されている。例えば特許文献１によると、外部の実行プログラム格納手段に接続可能な通信回線接続手段を介して、外部の実行プログラムを外部の実行プログラム格納手段から不揮発性記憶手段に上書きする。
【０００３】
また、特許文献２のデジタルカメラは、携帯電話を使用してサーバからカメラをアップデートする情報を通信にて取得する。
【０００４】
また、特許文献３のデジタルカメラは、携帯電話が持つ通信地域を把握する情報に基づいて撮像地の画像、地図及び写真店の情報を入手する。
【特許文献１】特開平１１−２７２６３４号公報
【特許文献２】特開２００２−２５２８００号公報
【特許文献３】特開２００１−２６８４２１号公報
【発明の開示】
【発明が解決しようとする課題】
【０００５】
ところで、上述の特許文献１〜３には、デジタルカメラやカメラ付携帯電話機などで使用される通信エリア内の固有のサービス（例えばテーマパークにおけるプリントサービスや景品提供サービス）を受けたり知らせたりするためのデータをどのように提供するのかについては具体的な記述が全く存在しない。本発明はこのような問題点に鑑みてなされたもので、エリア固有のサービスに関するデータを各種通信端末に提供することを目的とする。
【課題を解決するための手段】
【０００６】
上記課題を解決するため、本発明は、通信端末と、特定のエリア内で通信端末と通信する基地局と、を備える通信システムにおいて、基地局は特定のエリア内の通信端末に対し、特定のエリアに固有のプログラムを送信する送信部を有し、通信端末はプログラムを受信する受信部と、受信部の受信したプログラムを記憶する記憶部と、記憶部の記憶したプログラムを実行する処理部とを備えた。
【０００７】
この発明では、デジタルカメラ、カメラ付携帯電話機などの通信端末が、ある基地局のカバーする特定のエリアに入ると、基地局と通信し、その特定のエリアに固有のプログラムの送信を受ける。通信端末は、該プログラムを実行することで、特定のエリアに固有の処理内容（例えば、特定のテーマパークに固有のプリント注文サービスに用いる注文ファイルの作成や、特定のイベント会場に固有の景品提供を知らせる通知など）を実現できる。
【０００８】
ここで、特定のエリアに固有のプログラムは、特定のエリアに固有のプリント注文サービスを提供するか又は通信端末のオープニング画面において特定のエリアに固有のサービスの内容を表示させるとよい。
【０００９】
処理部は特定のエリアに固有のプログラムの消去条件が成立したことに応じて記憶部に記憶された特定のエリアに固有のプログラムを消去するとよい。
【００１０】
特定のエリアに固有のプログラムの消去条件とは、通信端末が特定のエリアから離脱したことを含む。
【００１１】
詳細には、特定のエリアに固有のプログラムには特定のエリアに固有の識別情報が付加されており、基地局は特定のエリア内の通信端末に対し、特定のエリアに固有の識別情報を通知する識別情報通知部を有し、通信端末の受信部は特定のエリアに固有の識別情報を受信し、通信端末の処理部はプログラムに付加された識別情報が受信部の受信した特定のエリアに固有の識別情報に一致しないプログラムを記憶部から消去する。
【００１２】
こうすれば、通信端末が特定のエリアから離脱したことに応じて特定のエリアに固有のプログラムを消去でき、特定エリアの外ではそのエリアに固有のサービスを受けることができないようにすることができる。
【００１３】
識別情報をプログラムに付加する識別情報付加部は、基地局に設けられていてもよいし、通信端末に設けられていてもよい。
【００１４】
特定のエリアに固有のプログラムの消去条件は、特定のエリアに固有のプログラムを消去する指示が入力されたことを含む。即ち、手動操作によって特定のエリアに固有のプログラムを消去してもよい。
【００１５】
通信端末は、特定のエリアに固有のプログラムの実行条件を満たしているか否かを判断する判断部をさらに有し、記憶部は判断部が実行条件を満たしていると判断した場合、受信部の受信した特定のエリアに固有のプログラムを記憶する。
【００１６】
判断部は処理部が通信端末のオープニング画面において特定のエリアに固有のサービスの内容を表示させるプログラムを実行可能か否かによって実行条件を満たしているか否かを判断してもよい。
【００１７】
また、本発明は、通信端末と、特定のエリア内で通信端末と通信する基地局と、を備える通信システムにおいて、基地局は特定のエリア内の通信端末に対し、通信端末のオープニング画面において特定のエリアに固有のサービス内容を表示するプログラムを送信する送信部を有し、通信端末はプログラムを受信する受信部と、受信部の受信したプログラムを記憶する記憶部と、記憶部の記憶したプログラムを実行することによりオープニング画面において特定のエリアに固有のサービス内容を表示させる処理部とを備えた。
【００１８】
この発明では、デジタルカメラ、カメラ付携帯電話機などの通信端末が、ある基地局のカバーする特定のエリアに入ると、基地局と通信し、その特定のエリアに固有のサービス内容を表示するプログラムの送信を受ける。通信端末は、該プログラムを実行することで、特定のエリアに固有のサービス内容（例えば、特定のテーマパークにおけるプリント注文サービスの通知や特定のイベント会場に固有の景品提供の通知など）を表示できる。
【００１９】
また、本発明は、通信端末と、特定のエリア内で通信端末と通信する基地局と、を備える通信システムにおいて、通信端末は、通信端末に関する識別情報を基地局に通知する識別情報通知部を有し、基地局は、通信端末から識別情報を受信する受信部と、受信部の受信した識別情報に基づいて通信端末が特定のエリアに固有のデータの利用条件を満たしているか否かを判断する判断部と、判断部が実行条件を満たしていると判断したことに応じて特定のエリアに固有のデータを通信端末に送信する送信部とを備えた。
【００２０】
この発明では、ある基地局のカバーする特定のエリア内に通信端末が移動し、基地局と通信可能となった状態となった場合、基地局は、通信端末から各種の識別情報（機種、製造元、固体番号など）を受け、その識別情報に基づき、その通信端末が特定のエリアに固有のデータの利用条件を満たしているか否かを判断する。利用条件を満たしていると判断した場合はデータを送信することで、通信端末ごとに、データを送るか否かを個別に決定することができ、特定の通信端末に向けたエリア固有のデータを配信することが可能となる。なお、特定のエリアに固有のデータとは、特定のエリアに固有のサービスのお知らせ内容を含む表示データ、特定のエリアに固有の処理内容を実現するプログラムを含む。
【００２１】
識別情報は通信端末の機種又は製造元を示す機種情報を含み、判断部は機種情報が所定の機種情報に一致している場合、実行条件を満たしていると判断する。
【００２２】
識別情報は通信端末又は通信端末のユーザに固有の固体情報を含み、基地局は特定のエリアに固有のサービスの利用履歴を各固体情報と対応づけて記憶する履歴記憶部を有し、判断部は通信端末から通知された固体情報に対応する利用履歴を履歴記憶部から抽出し、履歴記憶部から抽出した利用履歴に基づいて通信端末が特定のエリアに固有のデータの利用条件を満たしているか否かを判断する。
【００２３】
履歴記憶部に記憶される利用履歴は、特定のエリアに固有のプリントサービスにおけるプリント注文枚数を含む。
【００２４】
即ち、そのエリアでのプリント枚数に応じてプログラムを通信端末に送信することができる。
【００２５】
ただし、利用履歴は、プリント料金の累積金額、プリント注文の累積回数などであってもよい。
【発明の効果】
【００２６】
この発明では、デジタルカメラ、カメラ付携帯電話機などの通信端末が、ある基地局のカバーする特定のエリアに入ると、基地局と通信し、その特定のエリアに固有のプログラムの送信を受ける。通信端末は、受信したプログラムを実行することで、特定のエリアに固有の処理内容（例えば、特定のテーマパークに固有のプリント注文サービスに用いる注文ファイルの作成や、特定のイベント会場に固有の景品提供の通知など）を実現できる。
【００２７】
また、この発明では、ある基地局のカバーする特定のエリア内に通信端末が移動し、基地局と通信可能となった状態となった場合、基地局は、通信端末から各種の識別情報（機種、製造元、固体番号など）を受け、その識別情報に基づき、その通信端末が特定のエリアに固有のデータの利用条件を満たしているか否かを判断する。利用条件を満たしていると判断した場合はデータを送信することで、通信端末ごとに、データを送るか否かを個別に決定することができ、特定の端末に向けて特定のエリア固有のデータを配信することが可能となる。
【発明を実施するための最良の形態】
【００２８】
以下、添付した図面を参照し本発明の好ましい実施例を説明する。
【００２９】
図１は本発明の好ましい一実施例に係る写真サービスシステムの機能構成図である。このシステムは、例えばテーマパーク、遊園地、観光名所、イベント会場、百貨店の特定階や特定のショッピングエリアなどの限られた領域（施設）内で使用するシステムである。
【００３０】
各領域は、デジタルカメラ２ａや携帯電話２ｂなど（まとめて無線通信端末２と表記することもある）と無線通信を行う無線ＬＡＮステーションなどで構成された無線通信基地局１ａ、１ｂ、１ｃ．．（説明の簡略のためいずれも同じ構成とする）の通信エリアＲａ、Ｒｂ、Ｒｃ．．によってカバーされており、この各領域に入場した者が持ち込んだいずれの無線通信端末２とも通信できる状態となっている。
【００３１】
無線通信端末２がどの通信エリアで通信するかはユーザが現に滞留している領域に依存する。このため、例えば、デジタルカメラ２ａのユーザが通信エリアＲａから通信エリアＲｂに移動すれば、デジタルカメラ２ａの通信する基地局は、基地局１ａから基地局１ｂに切り替わる。ただし、各通信エリアは必ずしも排他的な関係でなくてもよく、また、１つの特定領域を複数の基地局１がカバーしてもよく、ローミングのように特定のエリア内で通信状態の良好ないずれか１つの基地局と通信するような形態であってもよい。
【００３２】
説明の簡略のため、無線通信基地局１ａ、１ｂ、１ｃ．．いずれも同様の構成を有するものとし、まとめて基地局１と表すこともある。無線通信端末２と基地局１との間の通信は無線通信であるとする。また、１つの基地局が１つの通信エリアをカバーするものとする。
【００３３】
図２は基地局１の内部構成を示すブロック図である。基地局１は、各種データが重畳された無線通信電波を無線通信端末に送信するとともに、無線通信端末から各種データの無線通信電波を受信する通信部１１、各基地局１ａ、１ｂ、１ｃがカバーする通信エリアＲａ、Ｒｂ、Ｒｃ．．を一意的に示す固有の識別情報であるエリアコードを通信部１１を介して送信するエリアコード通知部１２、各種の電子情報サービス（本実施例ではデジカメプリント注文サービスを主に説明）に用いられるプログラムをサービスプログラムデータベース１４から適宜抽出し、通信部１１を介して無線通信端末２に送信するサービスプログラム提供部１３を備えている。
【００３４】
図３は、カメラ２ａの内部構成を示すブロック図である。ズームレンズ１０５を含む光学ユニット１００の後方にはＣＣＤ等の固体撮像素子１０２が配置されており、ズームレンズ１０５を通過した光は、固体撮像素子１０２に入射する。固体撮像素子１０２の受光面には、フォトセンサが平面的に配列されており、該受光面に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、撮像回路１０６に加えられる。
【００３５】
撮像回路１０６は、ゲイン調整回路及びＡ／Ｄ変換器を含み、撮像回路１０６を通してデジタル信号に変換された画像データは、画像処理回路１０８及びハイパスフィルタ（ＨＰＦ）１２５へ送られる。画像処理回路１０８は、ＤＳＰ（Digital Signal Processor）などで構成され、輝度・色差信号生成回路、ガンマ補正回路、シャープネス補正回路、コントラスト補正回路、ホワイトバランス補正回路、撮影画像に対する輪郭補正を含む画像処理を行う輪郭処理部、画像のノイズ低減処理を行うノイズ低減処理部等を含む画像処理手段であり、ＲＩＳＣ（Reduced Instruction Set Computer）などで構成される処理部１１０からのコマンドに従って画像信号を処理する。
【００３６】
画像処理回路１０８に入力された画像データは、輝度信号（Ｙ信号）及び色差信号（Ｃｒ、Ｃｂ信号）に変換されるとともに、ガンマ補正等の所定の処理が施された後、メモリ１１２に格納される。メモリ１１２に記憶された画像データは、処理部１１０の指令に従って読み出され、ＮＴＳＣ方式などの所定の信号形式に変換された後、表示部１１４に出力される。表示部１１４は、カメラ２ａに内蔵されたファインダー５０、液晶モニタ６８又は図示しない映像出力端子などに接続された外部の表示装置に相当する。なお、図示しないが、処理部１１０は、ＯＳＤ信号発生回路を含み、ＯＳＤ信号発生回路はシャッター速度や絞り値、撮影可能枚数、撮影日時、警告メッセージ等の文字及びアイコン等の記号を表示するための信号を発生させる。このＯＳＤ信号発生回路から出力される信号は、必要に応じて画像信号に混合されて、表示部１１４に供給される。これにより、スルー画像や再生画像に文字やアイコン等が合成された合成画像が表示される。
【００３７】
固体撮像素子１０２から出力される画像信号によってメモリ１１２内の画像データが定期的に書き換えられ、その画像データから生成される映像信号が表示部１１４に供給されることにより、固体撮像素子１０２を介して撮像される画像がリアルタイムに表示部１１４に表示される。
【００３８】
モードレバー８４によって撮影モードが選択され、モードダイアル９４によって静止画撮影のモードが選択された状態で、シャッターボタン８０が押下されると撮影開始指示（レリーズＯＮ）信号が発せられる。即ち、図示せぬフォーカス駆動部を制御してフォーカス動作を行うとともに、固体撮像素子１０２の電荷蓄積時間（いわゆる電子シャッター）を制御することにより露出制御を行う。
【００３９】
シャッターボタン８０の全押し操作に呼応して、取り込まれた記録用の画像データは、画像処理回路１０８において所定の処理が施された後、必要に応じて圧縮処理され、外部記録装置１１６に記録される。
【００４０】
外部記録装置１１６は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００４１】
外部記録装置１１６の画像ファイルのフォーマットの例は、JPG（JPEG）、Exif、TIFF、BMP、GIF、DPOF（デジタルプリント注文フォーマット）である。
【００４２】
DPOF（Digital Print Order Format）は、外部記録装置１１６内の撮影画像の中で、どの画像を何枚プリントアウトするのかを定めた統一規格である。これに対応したデジタルカメラ２ａの場合、再生メニューから画像と枚数を指定すると、プリントすべき画像と枚数を指定するDPOFファイルが画像とともに外部記録装置１１６に保存され、その外部記録装置１１６をサポートするサービスショップに持ち込むことによって、必要なカットを必要な枚数分プリントすることができる。
【００４３】
モードダイアル９４によって動画記録モードが設定されたときには、シャッターボタン８０の押下によって録画動作がスタートし、もう一度シャッターボタン８０を押下すると録画動作が停止する。シャッターボタン８０を押下継続している期間、録画動作を行い、押下解除によって録画を停止するようにしてもよい。動画データは、例えばモーションＪＰＥＧ形式によって外部記録装置１１６に記録される。
【００４４】
モードダイアル９４によって再生モードが設定されると、外部記録装置１１６から画像ファイルが読み出される。読み出された画像データは、画像処理回路１０８において伸張処理され、表示部１１４に出力される。
【００４５】
再生モードでは、DPOFファイルを作成するための、プリントすべき画像の指定および指定された各画像のプリント枚数の指定を、操作部１１３の操作に従って受け付けるプリント注文画面の表示が行われる。プリント注文画面の表示プログラムは各基地局１ａ、１ｂ、１ｃ．．によって提供される。
【００４６】
一方、撮像回路１０６のＡ／Ｄ変換部でデジタル信号に変換された画像データは、ＨＰＦ１２５でＧ画素成分のみ抽出される。そして、積算処理部１２６で抽出されたＧ画素成分に積算処理が施されて処理部１１０に送られる。処理部１１０は、積算処理部１２６から送られた１画面分の６４分割の画像データの内、中心付近の４エリアの平均値を算出し、これをオートフォーカス（ＡＦ）評価値とする。ＡＦ評価値は、所定周期の経過毎に算出され、算出の度にメモリ１１２に更新記憶される。
【００４７】
撮影者がモード切換スイッチ３０を操作してＣ−ＡＦ又はＳ−ＡＦモードに切り換え、ＦＺリング２４をテレ方向又はワイド方向に回動させると、処理部１１０は、当該操作に応じてズーム制御回路１２０を制御し、モータ１２２を駆動させる。モータ１２２はＤＣモータが用いられ、モータ１２２に印加する電圧の極性を変えることにより、テレ方向又はワイド方向に駆動できる。モータ１２２の動力が図示せぬギヤその他の動力伝達機構を介してズームレンズ１０５に伝達されることにより、ズームレンズが移動して焦点距離が変更される。
【００４８】
なお、十字キー５２をズーム操作キーとして機能させることもできる。例えば、カメラ２ａを水平に保持した状態（横位置）で、十字キー５２の上キーがズームアップキー（Ｔキー）、下キーがズームダウンキー（Ｗキー）として機能させ、ＦＺリング２４に代えて、十字キー５２を操作してズーム駆動してもよい。
【００４９】
カメラ２ａには、駆動したズームレンズ１０５の位置（ズームポジション）を検出するための手段としてレンズ位置検出回路１２４が設けられており、その検出結果は処理部１１０に通知される。処理部１１０は、レンズ位置検出回路１２４の検出信号に基づいてズーム位置制御を行う。
【００５０】
レンズ位置検出回路１２４は、モータ１２２の回転によりパルスを発生する回路であってもよいし、レンズ鏡胴の外周に位置検出エンコード板を配置した態様であってもよく、本発明の実施に際して特に限定されるものではない。
【００５１】
処理部１１０は、カメラ２ａの各回路を統括制御する制御部であり、ズームキー３２、シャッターボタン８０、十字キー５２、メニュー／実行ボタン５４、ＦＺリング２４、モード切換スイッチ３０、ズームキー３２、マクロボタン８８、モードレバー８４、モードダイアル９４その他からなる操作部１１３から受信する信号に基づき、対応する回路の動作を制御するとともに、表示部１１４における表示制御、ストロボ発光制御、オートフォーカス（ＡＦ）制御及び自動露出（ＡＥ）制御等を行う。
【００５２】
ＲＯＭ１１１は、カメラ２ａに機種、メーカ名、シリアル番号、サブスクライバＩＤ、電話番号、ユーザＩＤ、メールアドレス、ユーザの生体情報（例えば指紋形状、虹彩形状、声紋）などの各種識別情報を記憶しており、処理部１１０によって適宜読み出される。
【００５３】
通信部１１５は、処理部１１０の制御に従い、ＲＯＭ１１１の各種識別情報その他の各種データを符号化し、各種データを無線搬送波により基地局１などに送信する。逆に、通信部１１５は、基地局１からの無線搬送波によって搬送される各種データを受信する。無線通信の方式は特に限定されず、一例を挙げれば、無線ＬＡＮ、Bluetooth、Wi-Fi、移動体電話通信などを採用できる。
【００５４】
以下、図４のフローチャートを参照し、基地局１とカメラ２ａの間で行われるサービス送信処理の流れを説明する。ただし、カメラ２ａをカメラ付携帯電話２ｂその他の各種通信端末で置換しても、処理は同様であるとする。
【００５５】
カメラ２ａは、いずれかの基地局１とポーリング交換を行うことができたか否かで、通信可能な基地局１があるか否かを判断する（Ａ１）。
【００５６】
カメラ２ａは、通信可能な基地局１に対し、ＲＯＭ１１１あるいはメモリ１１２に記憶されているカメラ機種、メーカ名、ユーザＩＤ、パスワードなどの各種識別情報を送信する（Ａ２）。基地局１は、カメラ２からカメラ機種を受信する（Ｂ１）。
【００５７】
基地局１は、受信したカメラ機種、メーカ名に基づき、カメラ２に適した、基地局１に固有のサービスプログラムがＤＢ１４に蓄積されているか否かを判断する（Ｂ２）。かかるサービスプログラムが蓄積されている場合はＢ３に移行する。
【００５８】
ここで、カメラ２に適したサービスプログラムとは、カメラ２の機種によって動作する／しない、あるいはカメラ２のメーカによって動作する／しないプログラムを意味する。また、基地局１に固有のサービスプログラムとは、特定のテーマパークに固有のプリント注文サービスに用いる注文ファイルの作成や、特定のイベント会場に固有の景品提供を知らせる通知などを実行するプログラムを意味する。
【００５９】
基地局１は、カメラ２に適合するサービスプログラムを提供することができる旨のメッセージをカメラ２に通知する（Ｂ３）。
【００６０】
カメラ２ａは、基地局１からメッセージを受信すると（Ａ３）、操作部１１３のマニュアル操作により、該サービスプログラムをダウンロードするか否かの指示を受け付ける。ダウンロードする指示を受け付けると（Ａ４で“Ｙ”）、処理ステップＡ５に移行する。ただし、メッセージを受け取った場合、即座に処理ステップＡ５に移行するようにしてもよい。
【００６１】
サービスプログラムをダウンロードする指示があった場合、カメラ２ａは該サービスプログラムを送信する要求を基地局１に送る（Ａ５）。
【００６２】
基地局１は、カメラ２からプログラムの送信要求を受け取ると、Ｂ１で受信したユーザＩＤに対応する写真プリントの注文履歴情報を注文履歴ＤＢ１５から抽出して参照し、プログラムの送信を許可するか否かを決定する。
【００６３】
例えば、Ｂ５では、あるユーザＩＤに対応する写真プリントの累積枚数が２０枚以上であればあるプログラムＰ１の送信を許可、１枚以上２０枚未満であればプログラムＰ１とは別のプログラムＰ２の送信を許可、０枚もしくは注文履歴情報自体が存在しなければプログラムＰ３（JavaTMなどで記述されたもの）を送信する。
【００６４】
プログラムＰ１〜Ｐ３は、基地局に固有のプリント注文の受け付けおよび代金決済を行うプログラムである。その処理内容としては、例えば、プログラムＰ１はプリント注文の決済金額を所定の割引率α１（例えば正規価格の８％）で割り引き、プログラムＰ２はプリント注文の決済金額を所定の割引率α２（例えば正規価格の５％）で割り引く。かつ、プログラムＰ１、Ｐ２は、カメラ２ａの機種でサポートされた言語で記述されている。プログラムＰ３はプリント注文の決済金額を全く割り引かず正規価格そのままを決済する。プログラムＰ３はカメラ２ａの機種に依存しない非ネイティブ言語で記述されていると、値引きを適用しないユーザのカメラ２ａには一律に同じプログラムを送ることができ管理が楽である。このようにして、注文履歴に応じて値引率の高いプリント注文プログラムを送信する。
【００６５】
基地局１は、送信を許可したサービスプログラムをカメラ２に送信する（Ｂ６）。例えば、ユーザＩＤ「user001」に対応する注文履歴情報として「写真プリント２０枚注文」が注文履歴ＤＢ１５に蓄積されていれば、ユーザＩＤ「user001」を通知したカメラ２ａはプログラムＰ１が送信される。カメラ２ａは、該サービスプログラムを受信すると（Ａ６）、ＲＯＭ１１１に記憶する。
【００６６】
なお、処理ステップＡ４では、ダウンロードする指示を受け付けたと判断して処理ステップＡ６に移行する代わりに、カメラ２がサービスプログラムをダウンロードできる所定の許容条件が揃ったか否かを処理部１１０で判断し、条件が揃った場合、処理ステップＡ６に移行するようにしてもよい。
【００６７】
サービスプログラムをダウンロードできる所定の許容条件の一例としては、例えば、ＤＰＯＦプリント注文画面で指定したプリント枚数が、所定の閾値（例えば１０枚）を超えることが挙げられる。あるいは、カメラ２ａのＯＳが、送信されるサービスプログラムをサポートしていることが挙げられる。
【００６８】
カメラ２ａは、ＲＯＭ１１１に記憶されたサービスプログラムを実行する。このプログラムは、基地局１に固有の処理内容を実行する。
【００６９】
例えば、サービスプログラムの提供する機能の一例として、DPOF規格に準拠したプリント注文画面で指定されたプリントの合計金額の算出および表示、合計金額に対する所定の割引率・割引額による減額、無料でプリントするサービス枚数、特定のカメラ２ａ機種のユーザに対する景品供与のお知らせ表示が挙げられる。これらの機能を提供するサービスプログラムは、プリント注文画面の表示プログラムのアドオンプログラムとするとよい。
【００７０】
図５は、サービスプログラムがプリント注文画面にアドオン表示したプリントの合計金額、割引金額、サービス枚数、景品申し込みの案内表示を示している。
【００７１】
あるいは、サービスプログラムは、プリント注文画面の表示プログラムとは独立して動作してもよい。例えば、図６に示すようなメッセージを示した割り込み画面を、カメラ２の電源立ち上げ時に表示されるオープニング画面とともに、あるいはそれに続けて表示する動作を行わせてもよい。この画面で「ＯＫ」を指定しないと通常のカメラ２ａを動作できないにしておけば、ユーザは立ち上げ時に必然的にメッセージを見ざるを得ず、宣伝効果が高まる。
【００７２】
ただし、いったんダウンロードされたプログラムは、通信エリアＲに固有の機能や情報を提供することを目的とするため、通信端末２がエリア外に離脱した場合は無意味な存在となる。このため、通信端末２がエリア外に離脱した場合、サービスプログラムがＲＯＭ１１１から消去されるような消去機能を設けておいてもよい。
【００７３】
図７はサービスプログラムを自動消去する処理の流れを示すフローチャートである。
【００７４】
基地局１は、自身のエリア内で通信可能な各端末２に対し、定期的にエリアコードを通知する（Ｃ１）。
【００７５】
カメラ２ａは、定期的にエリアコードを受信する（Ｄ１）。カメラ２ａは、受信したエリアコードと、基地局のエリアコード付加部１６によってダウンロード時に予めサービスプログラムに付加されているエリアコード（このエリアコードは、サービスプログラムを送信した基地局１のエリアコードである）と照合し、両者が一致するか否かによって、カメラ２のサービスプログラムを使用すべきエリア（使用エリア）が現に通信している基地局１のエリア（通信エリア）と合致するか否かを判断する（Ｄ２）。使用エリアと通信エリアが合致しない場合、使用エリア外に出たものと判断してＤ３に移行し、サービスプログラム自身が、あるいは端末２のその他の常駐プログラムが、通知されたエリアコードと合致しないエリアコードが付加されたサービスプログラムを消去する指令をＲＯＭ１１１に送る。
【００７６】
なお、上記では、あくまでも本発明の提供するエリア固有のデータとしてサービスプログラムを例示しただけであり、エリア固有のデータはプログラムに限らず、テキストデータ、グラフィックデータ、音声ファイルなどの各種データとすることも可能である。
【００７７】
以上説明した通り、本発明では、基地局１、自身のカバーするエリア内の通信端末２に対し、エリアに固有の内容を有したデータや情報を提供する。しかも、通信端末２の機種、メーカ、ユーザのサービス利用履歴などに応じてデータを送るから、相手方の通信端末２に個別に応じたデータ送信が可能である。さらに、通信端末２がいったん通信エリアを出てしまえば、そのエリア固有のデータは消去されてしまうから、エリア外で不要なプログラムがそのまま残ってしまったり、エリア外で不正に使用されてしまうことはない。
【図面の簡単な説明】
【００７８】
【図１】本発明の好ましい実施例に係る通信システムの構成図
【図２】基地局のブロック図
【図３】デジタルカメラのブロック図
【図４】サービス送信処理の流れを示すフローチャート
【図５】サービスプログラムによるプリント注文画面へのアドオン表示を例示した図
【図６】サービスプログラムによる割り込み画面を例示した図
【図７】サービスプログラムを自動消去する処理の流れを示すフローチャート
【符号の説明】
【００７９】
１：基地局、２：通信端末、１２：エリアコード通知部、１３：サービスプログラム提供部、１４：サービスプログラムＤＢ、１５：注文履歴ＤＢ、１６：エリアコード付加部
【図１】
2007096521.tif 000003
【図２】
2007096521.tif 000004
【図３】
2007096521.tif 000005
【図４】
2007096521.tif 000006
【図５】
2007096521.tif 000007
【図６】
2007096521.tif 000008
【図７】
2007096521.tif 000009